(57)【要約】【課題】機構の複雑化を抑制しつつ、所望のパターンの音を発生させることができる鳴鐘機構を提供する。【解決手段】鳴鐘機構３０は、発音要素であるゴング５１，５２と、ゴング５１，５２を叩打する打音部６１ａ，７１ａを有し、回動可能に設けられ、回動してゴング５１，５２に対して打音部６１ａ，７１ａを叩打させるハンマー本体６１，７１と、回転軸線Ｏ回りの双方向の回転駆動力を出力可能であり、回転駆動力によりハンマー本体６１，７１を回動させる回転駆動部３１と、を備える。【選択図】図２
2019086302.tif 000002
【特許請求の範囲】
【請求項１】
発音要素であるゴングと、
前記ゴングを叩打する打音部を有し、回動可能に設けられ、回動して前記ゴングに対して前記打音部を叩打させるハンマーと、
所定回転軸線回りの双方向の回転駆動力を出力可能であり、前記回転駆動力により前記ハンマーを回動させる回転駆動部と、
を備えることを特徴とする鳴鐘機構。
【請求項２】
前記回転駆動部の前記回転駆動力により回転可能に設けられた回転体と、
前記回転体に取り付けられた爪部と、
前記ハンマーと同軸回りに回動可能に設けられるとともに一部が前記爪部の回転軌跡内に進入可能に形成され、前記回転体とともに所定方向に回転する前記爪部に係合することで、前記打音部を前記ゴングから離間させる離間方向に前記ハンマーとともに回動する被係合部材と、
前記ハンマーを前記離間方向とは反対方向に付勢するハンマーばねと、
を備えることを特徴とする請求項１に記載の鳴鐘機構。
【請求項３】
前記回転体は、前記所定回転軸線回りに回転する、
ことを特徴とする請求項２に記載の鳴鐘機構。
【請求項４】
前記ハンマーに設けられ、前記爪部に係合して前記離間方向に回動する前記被係合部材に接触する接触部材を備え、
前記被係合部材は、前記ハンマーに対して独立して回動可能に設けられている、
ことを特徴とする請求項２または請求項３に記載の鳴鐘機構。
【請求項５】
第１の前記ハンマーと、
第２の前記ハンマーと、
前記回転体に取り付けられ、前記第１のハンマーを回動させる第１の前記爪部と、
前記回転体に取り付けられ、前記第２のハンマーを回動させる第２の前記爪部と、
を備えることを特徴とする請求項２から請求項４のいずれか１項に記載の鳴鐘機構。
【請求項６】
前記回転体は、第１方向に回転した場合に前記第１のハンマーを前記離間方向に回動させ、前記第１方向とは反対方向の第２方向に回転した場合に前記第２のハンマーを前記離間方向に回動させる、
ことを特徴とする請求項５に記載の鳴鐘機構。
【請求項７】
前記回転体の重心は、少なくとも前記回転体の回転時において、前記回転体の回転中心から離れている、
ことを特徴とする請求項２から請求項６のいずれか１項に記載の鳴鐘機構。
【請求項８】
外部機器から通信信号を受信する受信部と、
前記受信部に接続し、前記回転駆動部を制御し、前記通信信号に基づいて前記ゴングから発する音のパターンを決定する制御部と、
を備えることを特徴とする請求項１から請求項７のいずれか１項に記載の鳴鐘機構。
【請求項９】
前記回転駆動部を制御する制御部を備え、
前記制御部は、前記ゴングにより時刻の時分を通知するミニッツリピーターモードを実行する、
ことを特徴とする請求項１から請求項８のいずれか１項に記載の鳴鐘機構。
【請求項１０】
請求項１から請求項９のいずれか１項に記載の鳴鐘機構を備えることを特徴とする携帯機器。
【請求項１１】
請求項１から請求項９のいずれか１項に記載の鳴鐘機構を備えることを特徴とするムーブメント。
【請求項１２】
請求項１１に記載のムーブメントを備えることを特徴とする時計。
【発明の詳細な説明】
【技術分野】
【０００１】
本発明は、鳴鐘機構、携帯機器、ムーブメントおよび時計に関するものである。
【背景技術】
【０００２】
従来から、時計等の携帯機器として、ゴングを叩くことで音を発生させる鳴鐘機構を備えたものが知られている。鳴鐘機構は、発音要素であるゴングや、ゴングを叩打するハンマー、ぜんまいから伝達された動力によってハンマーを回動させるラック、ラックによって回動したハンマーをゴングに叩打させるように付勢する戻しばね等を備えている（例えば非特許文献１参照）。
【先行技術文献】
【非特許文献】
【０００３】
【非特許文献１】「時計学理論（Ｔｈｅ  Ｔｈｅｏｒｙ  ｏｆ  Ｈｏｒｏｌｏｇｙ）」、スイス時計大学編、英語版、１９９９年、ｐ２１７−２２４、[ＩＳＢＮ：２−９４００２５−１２−６]
【発明の概要】
【発明が解決しようとする課題】
【０００４】
しかしながら、ぜんまいの復元力は、ぜんまいが完全に巻き解けるまで常に生じる。このため、従来技術の鳴鐘機構においては、ぜんまいの復元力の伝達および遮断を切り替える機構が必要となる。また、従来技術の鳴鐘機構において、例えばミニッツリピーター機構のようにゴングから様々なパターンで発音させる機構を構成するためには、ゴングの叩打回数を変更可能とするために、ハンマーを回動させるラック等の部材の作動量を制御する機構等が必要となる。しかも、ぜんまいの復元力は、一方向のみに出力されるので、例えば鳴鐘機構が複数のハンマーを備え、各ハンマーがゴングを叩打する際の回動方向が相違する場合、動力の方向を反転させる輪列等の機構が必要となる。
【０００５】
このように、従来技術の鳴鐘機構において、様々なパターンの音を発生させることを可能とするためには、機構の複雑化が生じる。機構が複雑化すると、製造コストやメンテナンスコスト等が増加するとともに、構成部品が繊細となり誤操作による故障も発生しやすい。また、故障を抑制する機構を設けると、更なる機構の複雑化が生じる。したがって、従来技術の鳴鐘機構においては、機構の複雑化を抑制するという点で課題がある。
【０００６】
そこで本発明は、機構の複雑化を抑制しつつ、所望のパターンの音を発生させることができる鳴鐘機構、携帯機器、ムーブメントおよび時計を提供するものである。
【課題を解決するための手段】
【０００７】
本発明の鳴鐘機構は、発音要素であるゴングと、前記ゴングを叩打する打音部を有し、回動可能に設けられ、回動して前記ゴングに対して前記打音部を叩打させるハンマーと、所定回転軸線回りの双方向の回転駆動力を出力可能であり、前記回転駆動力により前記ハンマーを回動させる回転駆動部と、を備えることを特徴とする。
【０００８】
本発明によれば、双方向の回転駆動力を出力可能な回転駆動部によりハンマーを回動させるので、回転駆動部の回転駆動力の出力パターンを変更するだけで、ハンマーを複雑なパターンで回動させることができる。よって、従来技術のようにぜんまいから伝達された動力によってハンマーを回動させる構成と比較して、回転駆動部からハンマーへ動力を伝達する機構を複雑化させることなく、様々なパターンでゴングから発音させることができる。したがって、機構の複雑化を抑制しつつ、所望のパターンの音を発生させることができる。
【０００９】
上記の鳴鐘機構において、前記回転駆動部の前記回転駆動力により回転可能に設けられた回転体と、前記回転体に取り付けられた爪部と、前記ハンマーと同軸回りに回動可能に設けられるとともに一部が前記爪部の回転軌跡内に進入可能に形成され、前記回転体とともに所定方向に回転する前記爪部に係合することで、前記打音部を前記ゴングから離間させる離間方向に前記ハンマーとともに回動する被係合部材と、前記ハンマーを前記離間方向とは反対方向に付勢するハンマーばねと、を備えることが望ましい。
【００１０】
本発明によれば、回転体に取り付けられ所定方向に回転する爪部によりハンマーを離間方向に回動させ、ハンマーばねによりハンマーを離間方向とは反対方向に回動させることができる。したがって、回転体を所定方向に回転させることで、ハンマーを往復動させて、打音部をゴングに叩打させることができる。
【００１１】
上記の鳴鐘機構において、前記回転体は、前記所定回転軸線回りに回転する、ことが望ましい。
【００１２】
本発明によれば、回転体が回転駆動部の所定回転軸線とは異なる軸線回りに回転する構成と比較して、回転駆動部および回転体が占めるスペースを削減することができる。したがって、鳴鐘機構を小型化することができる。
【００１３】
上記の鳴鐘機構において、前記ハンマーに設けられ、前記爪部に係合して前記離間方向に回動する前記被係合部材に接触する接触部材を備え、前記被係合部材は、前記ハンマーに対して独立して回動可能に設けられている、ことが望ましい。
【００１４】
本発明によれば、被係合部材が爪部に係合して離間方向に回動する際に、被係合部材が接触部材に接触してハンマーを離間方向に回動させる。また、被係合部材が爪部に係合して離間方向とは反対方向に回動する際に、被係合部材がハンマーとは独立して離間方向とは反対方向に回動する。これにより、回転体および爪部が所定方向に回転した場合のみハンマーを回動させることができる。よって、回転体を所定方向に連続して回転させるだけで、ハンマーを連続して回動させて、打音部をゴングに連続して叩打させることができる。したがって、回転駆動部の簡単な制御により、ゴングから複数回連続して発音させることができる。
【００１５】
上記の鳴鐘機構において、第１の前記ハンマーと、第２の前記ハンマーと、前記回転体に取り付けられ、前記第１のハンマーを回動させる第１の前記爪部と、前記回転体に取り付けられ、前記第２のハンマーを回動させる第２の前記爪部と、を備えることが望ましい。
【００１６】
従来技術の鳴鐘機構では、複数のハンマーを備える場合、各ハンマーを独立して回動させるためには、少なくとも各ハンマーに対してそれぞれ１つずつのラックが必要となる。また、複数のハンマーを並行して回動させる場合にも、少なくとも１つのラックが追加で必要となる。このため、従来技術の鳴鐘機構では、複数のハンマーを備えることで、部品点数が増加し、ぜんまいの復元力を各ハンマーに伝達する機構がより複雑になる。
本発明では、第１のハンマーを回動させる第１の爪部と、第２のハンマーを回動させる第２の爪部と、がともに１つの回転体に取り付けられる。これにより、回転体を回転させて第１の爪部および第２の爪部の両方を回転させることで、第１のハンマーおよび第２のハンマーを回動させることができる。したがって、従来技術と比較して、簡単な構成で第１のハンマーおよび第２のハンマーを回動させることができる。
【００１７】
上記の鳴鐘機構において、前記回転体は、第１方向に回転した場合に前記第１のハンマーを前記離間方向に回動させ、前記第１方向とは反対方向の第２方向に回転した場合に前記第２のハンマーを前記離間方向に回動させる、ことが望ましい。
【００１８】
本発明によれば、回転体の回転方向に基づいて、第１のハンマーおよび第２のハンマーのうち、いずれのハンマーが回動するか決まる。このため、回転駆動部の回転駆動力の出力方向を制御するだけで、第１のハンマーおよび第２のハンマーを用いて様々な発音パターンを形成できる。したがって、回転駆動部の簡単な制御により、所望のパターンの音を発生させることができる。
【００１９】
上記の鳴鐘機構において、前記回転体の重心は、少なくとも前記回転体の回転時において、前記回転体の回転中心から離れている、ことが望ましい。
【００２０】
本発明によれば、回転体を回転させることで、鳴鐘機構を振動させることができる。したがって、ゴングからの発音による通知と、振動による通知と、を同時に行うことができる。
【００２１】
上記の鳴鐘機構において、外部機器から通信信号を受信する受信部と、前記受信部に接続し、前記回転駆動部を制御し、前記通信信号に基づいて前記ゴングから発する音のパターンを決定する制御部と、を備えることが望ましい。
【００２２】
本発明によれば、例えば通知内容に応じて、外部機器により作成したパターンの音を発するように設定することができる。
【００２３】
上記の鳴鐘機構において、前記回転駆動部を制御する制御部を備え、前記制御部は、前記ゴングにより時刻の時分を通知するミニッツリピーターモードを実行する、ことが望ましい。
【００２４】
従来技術におけるミニッツリピーター機構では、第１のハンマーを回動させるラックや、第２のハンマーを回動させるラック、第１のハンマーおよび第２のハンマーを同時に回動させるラック、各ラックの作動量を制御する機構等が必要となり、部品点数の増加および構造の複雑化が生じる。
本発明によれば、上述したように回転駆動部の回転駆動力の出力パターンを変更するだけで、ハンマーを複雑なパターンで回動させることができるので、部品点数の増加および構造の複雑化を抑制しつつ、ミニッツリピーター機構と同等の機能を実現できる。
【００２５】
本発明の携帯機器およびムーブメントは、上記の鳴鐘機構を備えることを特徴とする。
本発明の時計は、上記のムーブメントを備えることを特徴とする。
【００２６】
本発明によれば、上述した鳴鐘機構を備えるので、所望のパターンの音を発生させることが可能な付加価値の高い携帯機器、ムーブメントおよび時計となる。
【発明の効果】
【００２７】
本発明によれば、機構の複雑化を抑制しつつ、所望のパターンの音を発生させることができる鳴鐘機構、携帯機器、ムーブメントおよび時計を提供できる。
【図面の簡単な説明】
【００２８】
【図１】第１実施形態の時計を示す平面図である。
【図２】第１実施形態の時計の内部構成を示す斜視図である。
【図３】第１実施形態の時計の構成例を示すブロック図である。
【図４】第１実施形態の回転駆動部の分解斜視図である。
【図５】第１実施形態の鳴鐘機構の動作説明図である。
【図６】第１実施形態の鳴鐘機構の動作説明図である。
【図７】第１実施形態の鳴鐘機構の動作説明図である。
【図８】第２実施形態の鳴鐘機構を示す斜視図である。
【図９】第３実施形態の鳴鐘機構を示す斜視図である。
【発明を実施するための形態】
【００２９】
以下、本発明の実施形態を図面に基づいて説明する。なお、本実施形態では、時計の一例としてスマートフォンやタブレットＰＣ等の外部機器との間で通信可能なアナログクォーツ式の腕時計を例に挙げて説明する。また、以下の説明では、同一または類似の機能を有する構成に同一の符号を付す。そして、それら構成の重複する説明は省略する場合がある。
【００３０】
（第１実施形態）
図１は、第１実施形態の時計１を示す平面図である。図２は、第１実施形態の時計１の内部構成を示す斜視図である。図３は、第１実施形態の時計１の構成例を示すブロック図である。
図１および図２に示すように、時計１は、胴４、ガラス５、および図示しない裏蓋からなるケース３内に、地板６と、文字板７と、時針１２、分針１３および秒針１４を含む指針１１と、機構モジュール２０と、鳴鐘機構３０と、を備えている。また、図３に示すように、時計１は、電源部１０１と、入力部１０２と、通信部１０３（受信部）と、記憶部１０４と、主制御部１０５と、を備える。なお、通信部１０３および主制御部１０５は、鳴鐘機構３０に含まれてもよい。以下、本実施形態では、裏蓋に対してガラス５が位置する側を上側と定義するとともに、その反対側を下側と定義して説明する。例えば、ケース３内に配置された各構成要素のうち、地板６と、機構モジュール２０と、鳴鐘機構３０と、により時計１のムーブメント２を構成している。
【００３１】
図２に示すように、地板６は、ケース３（図１参照）内において、時計１の各構成要素を支持している。地板６は、ケース３の胴４の内部形状に対応するように、円盤状に形成されている。地板６は、表裏面を時計１における上下方向に向けた状態で配置されている。
【００３２】
図１に示すように、文字板７は、円板状に形成され、地板６（図２参照）とガラス５との間に配置されている。文字板７には、指針１１との組み合わせにより時刻を表示する時刻表示部８と、鳴鐘機構３０の一部が視認可能に配置される鳴鐘機構配置部９と、が設けられている。時刻表示部８は、文字板７の上面に形成された略円形状の領域である。時刻表示部８には、目盛りが設けられている。鳴鐘機構配置部９は、時刻表示部８に対して、時刻表示部８における９時を示す位置側に設けられている。鳴鐘機構配置部９は、文字板７に形成された貫通孔である。
【００３３】
図２および図３に示すように、機構モジュール２０は、地板６に取り付けられている。機構モジュール２０は、支持体２１と、ステッピングモータ２２と、輪列２３と、を備えている。支持体２１は、機構モジュール２０の外郭を形成する。支持体２１は、ステッピングモータ２２や輪列２３等、機構モジュール２０の各構成要素を支持している。支持体２１は、時計本体に対して着脱可能の別体のユニットの形態として構成され、当該形態はいわゆるカセットタイプやカートリッジタイプと称することもできる。この場合、機構モジュール２０は、時計本体を完成品とした場合の半製品、中間製品として取り扱われるものである。
【００３４】
ステッピングモータ２２は、指針１１を駆動する。指針１１は、機構モジュール２０に回転可能に取り付けられている。
輪列２３は、ステッピングモータ２２の動力を指針１１に伝達する。輪列２３は、少なくとも１つの歯車を含んでいる。
【００３５】
図２に示すように、鳴鐘機構３０は、回転駆動部３１と、鳴鐘部５０と、を備えている。
回転駆動部３１は、電力を動力源とする駆動部である。回転駆動部３１は、回転軸線Ｏ（所定軸線）回りの双方向の回転駆動力を出力可能である。回転駆動部３１は、電気的な制御により、少なくとも回転駆動力の出力方向を変更できる。回転駆動部３１は、電気的な制御により、出力の大きさ（回転速度）を変更できてもよい。回転駆動部３１は、例えばモータである。本実施形態の回転駆動部３１は、超音波モータである。回転駆動部３１は、機構モジュール２０と並んで配置されている。
【００３６】
図４は、第１実施形態の回転駆動部３１の分解斜視図である。
図４に示すように、回転駆動部３１は、支持板３２と、支持軸３３と、ステータ３４と、圧電素子３６と、ロータ３７（回転体）と、転がり軸受３８と、加圧部３９と、爪部４４，４５と、を備えている。
【００３７】
図２に示すように、支持板３２は、地板６に上側から取り付けられている。支持板３２は、表裏面を時計１における上下方向に向けた状態で配置されている。
図３に示すように、支持軸３３は、支持板３２の上面から上側に向かって突出している。支持軸３３の中心軸線は、回転軸線Ｏと一致している。支持軸３３の軸方向は、時計１における上下方向と一致している。
【００３８】
ステータ３４は、円盤状に形成されている。ステータ３４は、中心部に支持軸３３が挿通され、支持軸３３に固定されている。ステータ３４の上面には、上方に向かって突出した複数の突起３５が設けられている。複数の突起３５は、支持軸３３回りの周方向に沿って櫛歯状に並んでいる。
【００３９】
圧電素子３６は、ステータ３４の下面に接着剤等により接合され、支持板３２とステータ３４とにより挟まれている。圧電素子３６は、ステータ３４の下面の形状に対応するように、円板状に形成されている。圧電素子３６は、チタン酸ジルコン酸鉛（ＰＺＴ）等の圧電材料により形成されている。圧電素子３６は、電圧を印加された際に、ステータ３４の上面を支持軸３３回り周方向の進行波として変形させる。これにより、複数の突起３５の先端（上端）は、楕円運動する。
【００４０】
ロータ３７は、回転駆動部３１の駆動力により回転軸線Ｏ回りに回転する部材である。ロータ３７は、上側から見て文字板７の鳴鐘機構配置部９内に配置され、ガラス５を通じて視認可能となっている（図１参照）。ロータ３７は、ステータ３４の上方であって、上下方向において文字板７と同じ位置に配置されている。ロータ３７は、ステータ３４と略同径の円盤状に形成されている。ロータ３７は、中心部に支持軸３３が挿通され、転がり軸受３８を介して支持軸３３に対して回転可能に保持されている。ロータ３７の下面には、ステータ３４の複数の突起３５の先端が接触する摺動部材（不図示）が設けられている。摺動部材は、ステータ３４の複数の突起３５との間で生じる摩擦力を増大させる。ロータ３７の外周縁には、上下方向から見てロータ３７の径方向内側に向かって窪む凹部３７ａが形成されている。なお、ロータ３７に凹部３７ａが形成されていなくてもよい。
【００４１】
加圧部３９は、支持軸３３に外挿されて転がり軸受３８の内輪に上方から接触するスペーサ４０と、ねじ４１により支持軸３３の上端に固定されたフランジ部材４２と、スペーサ４０とフランジ部材４２との間で支持軸３３に外挿され、フランジ部材４２に対してスペーサ４０を下側に向けて押圧する圧縮コイルばね４３と、を備えている。加圧部３９は、転がり軸受３８を介してロータ３７を支持軸３３に対して下方に押圧する。これにより、加圧部３９は、ロータ３７をステータ３４に向けて押圧し、ステータ３４の複数の突起３５とロータ３７とを加圧接触させている。
【００４２】
爪部４４，４５は、ロータ３７に取り付けられている。爪部４４，４５は、第１爪部４４と、第２爪部４５と、である。第１爪部４４は、ロータ３７の下方に配置されている。第１爪部４４は、ロータ３７の下面に取り付けられている。第１爪部４４は、ロータ３７の径方向の外側に向けて突出するように形成されている。第２爪部４５は、第１爪部４４よりも下方に配置されている。第２爪部４５は、第１爪部４４と一体形成されている。第２爪部４５は、ロータ３７の径方向の外側に向けて突出するように形成されている。
【００４３】
このように構成された回転駆動部３１は、圧電素子３６に電圧を印加してステータ３４の複数の突起３５の先端を楕円運動させることで、ステータ３４の複数の突起３５に接触するロータ３７を進行波の進行方向とは反対方向に移動させる。これにより、ロータ３７を回転させることができる。
【００４４】
図２に示すように、鳴鐘部５０は、ゴング５１，５２と、ハンマーユニット６０，７０と、を備える。
ゴング５１，５２は、発音要素である。ゴング５１，５２は、地板６と文字板７（図１参照）との間に配置されている。ゴング５１，５２は、第１ゴング５１と、第２ゴング５２と、である。第１ゴング５１および第２ゴング５２は、互いに異なる周波数の音を発する。ゴング５１，５２は、ケース３の胴４（図１参照）の内周形状に沿うように円弧状に延び、上下方向から見て機構モジュール２０および回転駆動部３１を囲むように配置されている。ゴング５１，５２は、ブロック５３に片持ち支持されている。ブロック５３は、地板６に締結固定されている。ブロック５３は、地板６の所定の径方向において、回転軸線Ｏと並んで設けられている。ゴング５１，５２は、自由端とされた周端部がブロック５３の近傍に位置するように延びている。第１ゴング５１は、上側から見て、ブロック５３から地板６の外周に沿って反時計回り方向に延びている。第２ゴング５２は、上側から見て、ブロック５３から地板６の外周に沿って時計回り方向に延びている。第１ゴング５１および第２ゴング５２は、上下方向に互いに離間して配置されている。第１ゴング５１は、第２ゴング５２よりも上側に配置されている。
【００４５】
ハンマーユニット６０，７０は、ゴング５１，５２と回転駆動部３１との間に配置されている。ハンマーユニット６０，７０は、第１ハンマーユニット６０と、第２ハンマーユニット７０と、である。
第１ハンマーユニット６０は、上下方向から見て回転軸線Ｏとゴング５１，５２を支持するブロック５３の中心とを通る仮想線分よりも、第１ゴング５１が延びる側に配置されている。第１ハンマーユニット６０は、第１ゴング５１を叩打する打音部６１ａを有するハンマー本体６１（第１のハンマー）と、ハンマー本体６１を回動可能に支持するハンマー軸部６２と、ハンマー本体６１を付勢するハンマーばね（不図示）と、ハンマー軸部６２に回動可能に支持された係合レバー６５（被係合部材）と、ハンマー本体６１に設けられたピン６６（接触部材）と、係合レバー６５を付勢する付勢部材（不図示）と、を備える。
【００４６】
ハンマー軸部６２は、回転駆動部３１の支持板３２に固定されている。ハンマー軸部６２は、上下方向から見て、回転駆動部３１のロータ３７とゴング５１，５２を支持するブロック５３との間に配置されている。ハンマー軸部６２は、回転軸線Ｏと平行に設けられている。
【００４７】
ハンマー本体６１は、ハンマー軸部６２に回動可能に支持され、回動中心から第１ゴング５１が延びる方向に沿って延びている。ハンマー本体６１は、上下方向において、第１ゴング５１と同じ位置、かつ第２ゴング５２と異なる位置に配置されている。ハンマー本体６１は、打音部６１ａを備える。打音部６１ａは、ハンマー本体６１の周端部から第１ゴング５１に向けて突出した突起である。打音部６１ａは、先鋭化するように形成され、第１ゴング５１を例えば点接触に近い状態で叩打（タップ）することが可能とされている。ハンマー本体６１は、回転駆動部３１の回転駆動力により回動して、第１ゴング５１に対して打音部６１ａを叩打させる。以下、ハンマー軸部６２の中心軸線回りの周方向のうち、ハンマー本体６１の打音部６１ａが第１ゴング５１から離間する方向（上側から見て反時計回り方向）を第１離間方向（離間方向）という。
【００４８】
ハンマーばね（不図示）は、ハンマー本体６１の打音部６１ａが第１ゴング５１に接触する方向（すなわち第１離間方向とは反対方向）に向けてハンマー本体６１を付勢する。例えば、ハンマーばねは、ハンマー本体６１と地板６との間に配置された板ばねや、ハンマー軸部６２に外挿されたねじりコイルばね等である。
【００４９】
係合レバー６５は、ハンマー本体６１と同軸回りに回動可能に設けられている。係合レバー６５は、ハンマー本体６１とは独立して回動可能である。係合レバー６５は、上下方向において第１爪部４４と同じ位置に配置されている。係合レバー６５は、回動中心から互いに異なる方向に延びる第１アーム６５ａおよび第２アーム６５ｂを備える。第１アーム６５ａの先端は、第１爪部４４の回転軌跡内に進入可能に形成されている。係合レバー６５は、上側から見てロータ３７とともに時計回り方向に回転する第１爪部４４に第１アーム６５ａが係合することで、第１離間方向に回動する。また、係合レバー６５は、上側から見てロータ３７とともに反時計回り方向に回転する第１爪部４４に第１アーム６５ａが係合することで、第１離間方向とは反対方向に回動する。第２アーム６５ｂは、第１アーム６５ａの先端が第１爪部４４の回転軌跡内に進入した状態で、上下方向から見てハンマー本体６１が延びる方向に沿って延びている。
【００５０】
ピン６６は、ハンマー本体６１から上下方向における係合レバー６５の位置する側に突出している。ピン６６は、係合レバー６５の第２アーム６５ｂに接触可能に設けられている。ピン６６は、係合レバー６５の第１アーム６５ａの先端が第１爪部４４の回転軌跡内に進入した状態で、係合レバー６５の第２アーム６５ｂに第１離間方向とは反対方向に接触している。これにより、ピン６６は、第１爪部４４に係合して第１離間方向に回動する係合レバー６５の第２アーム６５ｂに接触する。
【００５１】
付勢部材（不図示）は、係合レバー６５をハンマー本体６１に対して第１離間方向に向けて付勢している。例えば、付勢部材は、ハンマー軸部６２に外挿されたねじりコイルばね等である。これにより、付勢部材は、係合レバー６５の第２アーム６５ｂをピン６６に対して第１離間方向に接触させるとともに、係合レバー６５の第１アーム６５ａの先端を第１爪部４４の回転軌跡内に進入させている。
【００５２】
第２ハンマーユニット７０は、上下方向から見て、前記仮想線分よりも第２ゴング５２が延びる側に配置されている。第２ハンマーユニット７０は、第２ゴング５２を叩打する打音部７１ａを有するハンマー本体７１（第２のハンマー）と、ハンマー本体７１を回動可能に支持するハンマー軸部７２と、ハンマー本体７１を付勢するハンマーばね（不図示）と、ハンマー軸部７２に回動可能に支持された係合レバー７５（被係合部材）と、ハンマー本体７１に設けられたピン７６（接触部材）と、係合レバー７５を付勢する付勢部材（不図示）と、を備える。第２ハンマーユニット７０は、上下方向から見て前記仮想線分に対して第１ハンマーユニット６０と線対称に形成されている。
【００５３】
ハンマー軸部７２は、回転駆動部３１の支持板３２に固定されている。ハンマー軸部７２は、上下方向から見て、回転駆動部３１のロータ３７とゴング５１，５２を支持するブロック５３との間に配置されている。ハンマー軸部７２は、回転軸線Ｏと平行に設けられている。
【００５４】
ハンマー本体７１は、ハンマー軸部７２に回動可能に支持され、回動中心から第２ゴング５２が延びる方向に沿って延びている。ハンマー本体７１は、上下方向において、第２ゴング５２と同じ位置、かつ第１ゴング５１と異なる位置に配置されている。ハンマー本体７１は、打音部７１ａを備える。打音部７１ａは、ハンマー本体６１の周端部から第２ゴング５２に向けて突出した突起である。打音部７１ａは、先鋭化するように形成され、第２ゴング５２を例えば点接触に近い状態で叩打（タップ）することが可能とされている。ハンマー本体７１は、回転駆動部３１の回転駆動力により回動して、第２ゴング５２に対して打音部７１ａを叩打させる。以下、ハンマー軸部７２の中心軸線回りの周方向のうち、ハンマー本体７１の打音部７１ａが第２ゴング５２から離間する方向（上側から見て時計回り方向）を第２離間方向（離間方向）という。
【００５５】
ハンマーばね（不図示）は、ハンマー本体７１の打音部７１ａが第２ゴング５２に接触する方向（すなわち第２離間方向とは反対方向）に向けてハンマー本体７１を付勢する。例えば、ハンマーばねは、ハンマー本体７１と地板６との間に配置された板ばねや、ハンマー軸部７２に外挿されたねじりコイルばね等である。
【００５６】
係合レバー７５は、ハンマー本体７１と同軸回りに回動可能に設けられている。係合レバー７５は、ハンマー本体７１とは独立して回動可能である。係合レバー７５は、上下方向において第２爪部４５と同じ位置に配置されている。係合レバー７５は、回動中心から互いに異なる方向に延びる第１アーム７５ａおよび第２アーム７５ｂを備える。第１アーム７５ａの先端は、第２爪部４５の回転軌跡内に進入可能に形成されている。係合レバー７５は、上側から見てロータ３７とともに反時計回り方向に回転する第２爪部４５に第１アーム７５ａが係合することで、第２離間方向に回動する。また、係合レバー７５は、上側から見てロータ３７とともに時計回り方向に回転する第２爪部４５に第１アーム７５ａが係合することで、第２離間方向とは反対方向に回動する。第２アーム７５ｂは、第１アーム７５ａの先端が第２爪部４５の回転軌跡内に進入した状態で、上下方向から見てハンマー本体７１が延びる方向に沿って延びている。
【００５７】
ピン７６は、ハンマー本体７１から上下方向における係合レバー７５の位置する側に突出している。ピン７６は、係合レバー７５の第２アーム７５ｂに接触可能に設けられている。ピン７６は、係合レバー７５の第１アーム７５ａの先端が第２爪部４５の回転軌跡内に進入した状態で、係合レバー７５の第２アーム７５ｂに第２離間方向とは反対方向に接触している。これにより、ピン７６は、第２爪部４５に係合して第２離間方向に回動する係合レバー７５の第２アーム７５ｂに接触する。
【００５８】
付勢部材（不図示）は、係合レバー７５をハンマー本体７１に対して第２離間方向に向けて付勢している。例えば、付勢部材は、ハンマー軸部７２に外挿されたねじりコイルばね等である。これにより、付勢部材は、係合レバー７５の第２アーム７５ｂをピン７６に対して第２離間方向に接触させるとともに、係合レバー７５の第１アーム７５ａの先端を第２爪部４５の回転軌跡内に進入させている。
【００５９】
ここで、電源部１０１、入力部１０２、通信部１０３、記憶部１０４および主制御部１０５の説明に先立って、鳴鐘機構３０の動作について説明する。なお、以下の鳴鐘機構３０の動作説明においては、主に第１ハンマーユニット６０の動作を例に挙げて説明する。
【００６０】
図５から図７は、第１実施形態の鳴鐘機構３０の動作説明図である。なお、図５から図７では、爪部４４，４５の位置を明示するために、ロータ３７の一部を破断して図示している。
図５に示すように、回転駆動部３１のロータ３７が上側から見て時計回りに回転すると、第１爪部４４が係合レバー６５の第１アーム６５ａに対して第１離間方向の上流側から接触し、係合レバー６５を第１離間方向に回動させる。このとき、係合レバー６５の第２アーム６５ｂには、ハンマー本体６１に設けられたピン６６が、第１離間方向とは反対方向に接触している。これにより、係合レバー６５の第１離間方向への回動に伴って、ハンマー本体６１が第１離間方向に回動する。つまり、第１爪部４４は、ロータ３７の上側から見た時計回り方向の回転により、ハンマー本体６１を第１離間方向に回動させる。
【００６１】
その後、図６に示すように、回転駆動部３１のロータ３７が上側から見て時計回りにさらに回転すると、第１爪部４４と係合レバー６５との係合が解除される。第１爪部４４と係合レバー６５との係合が解除されると、ハンマー本体６１は、ハンマーばねにより打音部６１ａを第１ゴング５１に接触させる方向に回動し、第１ゴング５１を叩打する。これにより第１ゴング５１が発音する。よって、ハンマー本体６１は、回転駆動部３１のロータ３７が上側から見て時計回りに回転した場合に回動（往復動）する。
【００６２】
図７に示すように、回転駆動部３１のロータ３７が上側から見て反時計回りに回転すると、第１爪部４４が係合レバー６５の第１アーム６５ａに対して第１離間方向の下流側から接触し、係合レバー６５を第１離間方向とは反対方向に回動させる。すると、係合レバー６５は、第２アーム６５ｂをピン６６から離間させて、ハンマー本体６１から独立して回動する。よって、ハンマー本体６１は、回転駆動部３１のロータ３７が上側から見て反時計回りに回転した場合には回動しない。つまり、回転駆動部３１のロータ３７は、上側から見て時計回り方向に回転した場合のみに、ハンマー本体６１を第１離間方向に回動させる。
【００６３】
なお、第２ハンマーユニット７０は、第１ハンマーユニット６０と同様のメカニズムにより動作する。すなわち、第２ハンマーユニット７０のハンマー本体７１は、回転駆動部３１のロータ３７が上側から見て反時計回りに回動した場合に、ハンマー軸部７２回りに回動して第２ゴング５２を叩打する。また、第２ハンマーユニット７０のハンマー本体７１は、回転駆動部３１のロータ３７が上側から見て時計回りに回動した場合には回動しない。つまり、回転駆動部３１のロータ３７は、上側から見て反時計回り方向に回転した場合のみに、第２ハンマーユニット７０のハンマー本体７１を第２離間方向に回動させる。
【００６４】
以上により鳴鐘機構３０は、回転駆動部３１のロータ３７が上側から見て時計回りに回動した場合のみに第１ハンマーユニット６０のハンマー本体６１の打音部６１ａを第１ゴング５１に叩打させ、回転駆動部３１のロータ３７が上側から見て反時計回りに回動した場合のみに第２ハンマーユニット７０のハンマー本体７１の打音部７１ａを第２ゴング５２に叩打させる。
【００６５】
以下、電源部１０１、入力部１０２、通信部１０３、記憶部１０４および主制御部１０５について説明する。
図３に示すように、電源部１０１は、例えば太陽電池および二次電池により構成されている。太陽電池は、光エネルギーを電力に変換し、変換した電力を二次電池に供給する。二次電池は、太陽電池から供給された電気エネルギーを蓄える。二次電池は、蓄えた電力を主制御部１０５に供給する。なお、電源部１０１は、一次電池により構成されていてもよい。
【００６６】
入力部１０２は、例えばボタンスイッチやりゅうず等である。入力部１０２は、例えばケース３の胴４の側面に配置されている（図１参照）。入力部１０２は、使用者により操作（例えば押圧操作）された場合に、この操作に応じた操作信号を主制御部１０５に出力する。
【００６７】
通信部１０３は、例えばＷｉ−Ｆｉ（Ｗｉｒｅｌｅｓｓ  Ｆｉｄｅｌｉｔｙ）規格や、Ｂｌｕｅｔｏｏｔｈ（登録商標）  Ｌｏｗ  Ｅｎｅｒｇｙ（ＢＬＥ）規格の通信方式を用いて、外部機器２００との間で通信信号の送受信を行う。外部機器２００は、例えばスマートフォンやタブレットＰＣ等である。通信部１０３は、外部機器２００から受信した通信信号を主制御部１０５に出力する。また、通信部１０３は、主制御部１０５が出力した信号を、通信信号として外部機器２００へ送信する。
【００６８】
記憶部１０４は、例えば、ＲＡＭ（Ｒａｎｄｏｍ  Ａｃｃｅｓｓ  Ｍｅｍｏｒｙ、ランダムアクセスメモリ）やＲＯＭ（Ｒｅａｄ  Ｏｎｌｙ  Ｍｅｍｏｒｙ、読み出し専用メモリ）等の不揮発性の記憶媒体である。記憶部１０４は、時計１の制御に必要な情報やプログラム、主制御部１０５が通信部１０３を介して外部機器２００から取得した情報等を記憶する。
【００６９】
主制御部１０５は、時計１が備える各構成要素の電気的な制御を行う。主制御部１０５は、発振部１０６と、分周部１０７と、計時部１０８と、を備える。発振部１０６は、例えば水晶振動子を備える。水晶振動子は、水晶の圧電現象を利用し、その機械的共振から特定の周波数を発振するために用いられる受動素子である。水晶振動子の発振周波数は、例えば３２ｋＨｚである。発振部１０６は、水晶振動子を発振させて生成したクロック信号を分周部１０７に出力する。分周部１０７は、発振部１０６が出力したクロック信号の信号を所望の周波数に分周し、分周した基準信号を計時部１０８に出力する。基準信号の周波数は、例えば６４Ｈｚと３２Ｈｚである。計時部１０８は、分周部１０７から入力された基準信号に基づいて現在時刻等を計時する。
【００７０】
主制御部１０５は、計時した時刻や、入力部１０２が出力した操作結果、通信部１０３を介して外部機器２００から受信した通信信号等に基づき、ステッピングモータ２２および回転駆動部３１を制御する。主制御部１０５は、回転駆動部３１を制御して、回転駆動部３１のロータ３７を回転させることにより、第１ゴング５１または第２ゴング５２から発音させる。主制御部１０５は、リピーターモード、ソヌリモード、アラームモードおよびオルゴールモードのうち少なくともいずれか１つのモードを実行する。
【００７１】
リピーターモードは、所定の入力部１０２が操作された時刻を音で通知するモードである。リピーターモードは、例えばミニッツリピーターモードである。ミニッツリピーターモードでは、主制御部１０５は、所定の入力部１０２が操作された時刻の時分を、第１ゴング５１および第２ゴング５２から発音させる。最初に、主制御部１０５は、時刻の時を通知させる。主制御部１０５は、時刻の時に対応する回数だけ第１ゴング５１から発音させる。すなわち、主制御部１０５は、時刻の時に対応する回数だけ、回転駆動部３１のロータ３７を、上側から見て時計回り方向に回転させる。例えば、時刻が１１時台の場合、主制御部１０５は、第１ゴング５１から１１回発音させる。続いて、主制御部１０５は、時刻の１５分単位の分を通知させる。主制御部１０５は、第１ゴング５１からの１回の発音と第２ゴング５２からの１回の発音を１セットとして、時刻の１５分単位の分に対応するセット数だけ第１ゴング５１および第２ゴング５２から発音させる。すなわち、主制御部１０５は、時刻の１５分単位の分に対応する回数だけ、回転駆動部３１のロータ３７を双方向に往復回転させる。例えば、主制御部１０５は、時刻の分が５８分の場合、第１ゴング５１および第２ゴング５２から３セット発音させる。続いて、主制御部１０５は、時刻の残りの１分単位の分を通知させる。主制御部１０５は、時刻の残りの１分単位の分に対応する回数だけ第２ゴング５２から発音させる。すなわち、主制御部１０５は、時刻の残りの１分単位の分に対応する回数だけ、回転駆動部３１のロータ３７を上側から見て反時計回り方向に回転させる。例えば、主制御部１０５は、時刻の分が５８分の場合、第２ゴング５２から１３回発音させる。
【００７２】
なお、リピーターモードは、ミニッツリピーターモード以外に、アワーリピーターモード、クォーターリピーターモード、デシマルリピーターモードおよび５ミニッツリピーターモードのうちいずれかのモードであってもよい。アワーリピーターモードは、所定の入力部１０２が操作された時刻の時を通知するモードである。通知方法は、ミニッツリピーターモードにおける時の通知と同様である。クォーターリピーターモードは、所定の入力部１０２が操作された時刻の時および１５分単位の分を通知するモードである。時の通知方法は、ミニッツリピーターモードにおける時の通知と同様である。１５分単位の分の通知方法は、ミニッツリピーターモードにおける１５分単位の分の通知と同様である。デシマルリピーターモードは、所定の入力部１０２が操作された時刻の時および１０分単位の分を通知するモードである。時の通知方法は、ミニッツリピーターモードにおける時の通知と同様である。１０分単位の分の通知方法は、ミニッツリピーターモードにおける１５分単位の分の通知と同様である。５ミニッツリピーターモードは、所定の入力部１０２が操作された時刻の時および５分単位の分を通知するモードである。時の通知方法は、ミニッツリピーターモードにおける時の通知と同様である。５分単位の分の通知方法は、ミニッツリピーターモードにおける１５分単位の分の通知と同様である。
【００７３】
ソヌリモードは、毎正時を通知する時報である。ソヌリモードでは、主制御部１０５は、正時毎に第１ゴング５１および第２ゴング５２のうち少なくともいずれか一方から発音させる。ゴング５１，５２からの発音回数は、時刻に依らず一定の回数であってもよいし、例えば時刻の時に対応する回数であってもよい。なお、ソヌリモードは、毎正時に加えて１５分間隔等の一定間隔を通知する、いわゆるグランソヌリであってもよい。
【００７４】
アラームモードは、予め設定された時刻を音で通知するモードである。アラームモードでは、主制御部１０５は、現在時刻が予め設定された時刻になると、第１ゴング５１および第２ゴング５２のうち少なくともいずれか一方から発音させる。ゴング５１，５２からの発音回数は、特に限定されないが、通信部１０３を介して外部機器２００から設定可能であってもよい。
【００７５】
オルゴールモードは、オルゴールのように第１ゴング５１および第２ゴング５２のうち少なくともいずれか一方からメロディを発音させるモードである。オルゴールモードでは、所定の入力部１０２が操作された場合や、主制御部１０５が通信部１０３を介して外部機器２００からの指示信号を受信した場合等に、メロディを発音させる。
【００７６】
上記各モードのうち主制御部１０５が実行するモードは、通信部１０３を介した外部機器２００からの操作により決定できるように構成されてもよい。また、主制御部１０５は、通信部１０３を介して外部機器２００から受信した通信信号をトリガーとして、第１ゴング５１および第２ゴング５２のうち少なくともいずれか一方から発音させるように構成されてもよい。
【００７７】
また、主制御部１０５は、通信部１０３を介して外部機器２００から受信した通信信号に基づいて、アラームモードやオルゴールモード等においてゴング５１，５２から発する音のパターンを決定できるように構成されてもよい。
【００７８】
このように、本実施形態の鳴鐘機構３０および時計１によれば、双方向の回転駆動力を出力可能な回転駆動部３１によりハンマー本体６１，７１を回動させるので、回転駆動部３１の回転駆動力の出力パターンを変更するだけで、ハンマー本体６１，７１を複雑なパターンで回動させることができる。よって、従来技術のようにぜんまいから伝達された動力によってハンマーを回動させる構成と比較して、回転駆動部３１からハンマー本体６１，７１へ動力を伝達する機構を複雑化させることなく、様々なパターンでゴング５１，５２から発音させることができる。したがって、機構の複雑化を抑制しつつ、所望のパターンの音を発生させることができる。
【００７９】
ここで、従来技術の鳴鐘機構では、ゴングから連続して複数回発音させる際に発音間隔を調整する機構として、機械的な摩擦によりハンマーの回動速度を制御する機構が設けられる場合があった。この場合には、摺動による部品の摩耗や、摺動音による騒音等が問題となるおそれがある。
本実施形態の回転駆動部３１は、電気的な制御により出力の大きさ（回転速度）を変更できるので、上述した摺動による部品の摩耗や、摺動音による騒音等の発生を回避することができる。
【００８０】
また、鳴鐘機構３０は、回転駆動部３１の回転駆動力により回転可能に設けられたロータ３７と、ロータ３７に取り付けられた第１爪部４４と、ハンマー本体６１と同軸回りに回動可能に設けられるとともに一部が第１爪部４４の回転軌跡内に進入可能に形成され、ロータ３７とともに上側から見て時計回り方向に回転する第１爪部４４に係合することで、第１離間方向にハンマー本体６１とともに回動する係合レバー６５と、ハンマー本体６１を第１離間方向とは反対方向に付勢するハンマーばね（不図示）と、を備える。
この構成によれば、ロータ３７に取り付けられ上側から見て時計回り方向に回転する第１爪部４４によりハンマー本体６１を第１離間方向に回動させ、ハンマーばねによりハンマー本体６１を第１離間方向とは反対方向に回動させることができる。したがって、ロータ３７を上側から見て時計回り方向に回転させることで、ハンマー本体６１を往復動させて、打音部６１ａを第１ゴング５１に叩打させることができる。第２爪部４５、並びに第２ハンマーユニット７０における係合レバー７５およびハンマーばね（不図示）についても同様である。
【００８１】
また、ロータ３７は、回転駆動部３１の出力軸線である回転軸線Ｏ回りに回転するので、爪部４４，４５が取り付けられる回転体が回転軸線Ｏとは異なる軸線回りに回転する構成と比較して、回転駆動部３１およびロータ３７が占めるスペースを削減することができる。したがって、鳴鐘機構３０を小型化することができる。
【００８２】
また、鳴鐘機構３０は、ハンマー本体６１に設けられ、第１爪部４４に係合して第１離間方向に回動する係合レバー６５に接触するピン６６を備え、係合レバー６５は、ハンマー本体６１に対して独立して回動可能に設けられている。
この構成によれば、係合レバー６５が第１爪部４４に係合して第１離間方向に回動する際に、係合レバー６５がピン６６に接触してハンマー本体６１を第１離間方向に回動させる。また、係合レバー６５が第１爪部４４に係合して第１離間方向とは反対方向に回動する際に、係合レバー６５がハンマー本体６１とは独立して第１離間方向とは反対方向に回動する。これにより、ロータ３７および第１爪部４４が上側から見て時計回り方向に回転した場合のみハンマー本体６１を回動させることができる。よって、ロータ３７を上側から見て時計回り方向に連続して回転させるだけで、ハンマー本体６１を連続して回動させて、打音部６１ａを第１ゴング５１に連続して叩打させることができる。第２ハンマーユニット７０における係合レバー７５およびピン７６についても同様である。したがって、回転駆動部３１の簡単な制御により、ゴング５１，５２から複数回連続して発音させることができる。
【００８３】
また、鳴鐘機構３０は、ハンマー本体６１，７１と、ロータ３７に取り付けられ、ハンマー本体６１を回動させる第１爪部４４と、ロータ３７に取り付けられ、ハンマー本体７１を回動させる第２爪部４５と、を備える。
この構成では、ハンマー本体６１を回動させる第１爪部４４と、ハンマー本体７１を回動させる第２爪部４５と、がともに１つのロータ３７に取り付けられる。これにより、ロータ３７を回転させて第１爪部４４および第２爪部４５の両方を回転させることでハンマー本体６１およびハンマー本体７１を回動させることができる。したがって、従来技術と比較して、簡単な構成でハンマー本体６１およびハンマー本体７１を回動させることができる。
【００８４】
さらに、ロータ３７は、上側から見て時計回り方向に回転した場合にハンマー本体６１を第１離間方向に回動させ、上側から見て反時計回り方向に回転した場合にハンマー本体７１を第２離間方向に回動させる。
この構成によれば、ロータ３７の回転方向に基づいて、ハンマー本体６１，７１のうち、いずれのハンマー本体が回動するか決まる。このため、回転駆動部３１の回転駆動力の出力方向を制御するだけで、ハンマー本体６１，７１の両方と用いて様々な発音パターンを形成できる。したがって、回転駆動部３１の簡単な制御により、所望のパターンの音を発生させることができる。
【００８５】
また、鳴鐘機構３０は、外部機器２００から通信信号を受信する通信部１０３と、通信部１０３に接続し、回転駆動部３１を制御し、通信信号に基づいてゴング５１，５２から発する音のパターンを決定する主制御部１０５と、を備える。
この構成によれば、例えば通知内容に応じて、外部機器２００により作成したパターンの音を発するように設定することができる。
【００８６】
また、鳴鐘機構３０は、回転駆動部３１を制御する主制御部１０５を備え、主制御部１０５は、ゴング５１，５２により時刻の時分を通知するミニッツリピーターモードを実行する。
ここで、従来技術におけるミニッツリピーター機構では、第１のハンマーを回動させるラックや、第２のハンマーを回動させるラック、第１のハンマーおよび第２のハンマーを同時に回動させるラック、各ラックの作動量を制御する機構等が必要となり、部品点数の増加および構造の複雑化が生じる。
本実施形態によれば、上述したように回転駆動部３１の回転駆動力の出力パターンを変更するだけで、ハンマー本体６１，７１を複雑なパターンで回動させることができるので、部品点数の増加および構造の複雑化を抑制しつつ、ミニッツリピーター機構と同等の機能を実現できる。
【００８７】
また、回転駆動部３１のロータ３７は、文字板７の鳴鐘機構配置部９内に配置され、ガラス５を通じて視認可能となっている。これにより、ゴング５１，５２からの発音による通知と、視覚的な動作による通知と、を同時に行うことができる。
【００８８】
（第２実施形態）
図８は、第２実施形態の鳴鐘機構１３０を示す斜視図である。
図８に示す第２実施形態では、回転駆動部３１のロータ３７に重錘８０が取り付けられている点で、第１実施形態と異なっている。
【００８９】
図８に示すように、回転駆動部３１は、重錘８０を備える。重錘８０は、ロータ３７の上面に取り付けられている。重錘８０は、上方から見てロータ３７の外周縁に沿うように半円弧状に延びている。重錘８０は、ロータ３７に対してねじ８１，８２等により締結固定されている。このように、ロータ３７に重錘８０が取り付けられているので、ロータ３７および重錘８０により構成される回転体の重心は、回転体の回転中心（すなわち回転軸線Ｏ）から離れている。
【００９０】
本実施形態によれば、ロータ３７を回転させることで、鳴鐘機構１３０を振動させることができる。したがって、ゴング５１，５２からの発音による通知と、振動による通知と、を同時に行うことができる。
【００９１】
なお、鳴鐘機構１３０は、ハンマーユニット６０，７０に対して回転駆動部３１を接近離間させる機構を備えてもよい。この機構は、例えば、ボタン等の操作部材と、操作部材の操作に応じて作動して回転駆動部を変位させるレバーやカム等と、により構成できる。これにより、鳴鐘機構１３０は、各爪部４４，４５をハンマーユニット６０，７０の係合レバー６５，７５と係合不能な位置に退避させることが可能となるので、ロータ３７が回転してもゴング５１，５２が叩打されないように構成される。よって、振動による通知のみを実行することが可能となる。
【００９２】
また、鳴鐘機構１３０は、ロータ３７の回転数が所定の回転数以上の場合に、遠心力により第１爪部４４および第２爪部４５がロータ３７の径方向内側に変位するように形成されてもよい。これにより、鳴鐘機構１３０は、各爪部４４，４５をハンマーユニット６０，７０の係合レバー６５，７５と係合不能な位置に退避させることが可能となるので、ロータ３７が回転してもゴング５１，５２が叩打されないように構成される。よって、振動による通知のみを実行することが可能となる。
【００９３】
また、鳴鐘機構１３０は、ハンマー本体６１，７１の打音部６１ａ，７１ａとゴング５１，５２との間に、緩衝部材を挿入する機構を備えてもよい。この機構は、例えば、ボタン等の操作部材と、操作部材の操作に応じて作動してハンマー本体６１，７１の打音部６１ａ，７１ａとゴング５１，５２との間に緩衝部材を挿入するレバーやカム等と、により構成できる。これにより、鳴鐘機構１３０は、ロータ３７が回転してハンマー本体６１，７１が回動しても、ゴング５１，５２が打音部６１ａ，７１ａに叩打されないように構成される。よって、振動による通知のみを実行することが可能となる。
【００９４】
（第２実施形態の変形例）
図９は、第２実施形態の変形例の鳴鐘機構２３０を示す斜視図である。
図８に示す第２実施形態では、重錘８０がロータ３７に固定されている。これに対して、図９に示す第２実施形態の変形例では、重錘９０がロータ３７に対して変位可能な状態で取り付けられている点で、第２実施形態と異なっている。
【００９５】
図９に示すように、回転駆動部３１は、ロータ３７の上面に取り付けられた支持軸９１と、支持軸９１に回動可能に支持されたレバー９２と、レバー９２を付勢する付勢部材（不図示）と、レバー９２の先端に取り付けられた重錘９０と、を備える。支持軸９１は、ロータ３７の外周部に設けられている。支持軸９１の中心軸線は、回転軸線Ｏと平行に設けられている。レバー９２は、ロータ３７の上面に沿って延びている。これにより、レバー９２は、ロータ３７の上面に沿って回動する。付勢部材は、レバー９２の先端が回転軸線Ｏに近付く方向に向けてレバー９２を付勢している。付勢部材は、例えば支持軸９１に外挿されたねじりコイルばね等である。重錘９０は、レバー９２の先端から下方に突出するように設けられている。重錘９０は、ロータ３７の凹部３７ａに入り込むように設けられている。
【００９６】
重錘９０は、レバー９２を介してロータ３７に取り付けられているので、ロータ３７が回転すると重錘９０に遠心力が作用する。重錘９０は、遠心力が作用すると、ロータ３７の径方向外側に向かって支持軸９１回りを回動する。重錘９０が取り付けられたレバー９２は、先端が回転軸線Ｏに近付く方向に付勢されているので、重錘９０の変位量は、重錘９０に作用する遠心力に応じて変化する。よって、ロータ３７やレバー９２、重錘９０等により構成される回転体の重心は、少なくともロータ３７の回転時において、回転体の回転中心（すなわち回転軸線Ｏ）から離れるように、ロータ３７の回転数に応じて変化する。
【００９７】
本実施形態によれば、ロータ３７を回転させることで、鳴鐘機構２３０を振動させることができる。したがって、ゴング５１，５２からの発音による通知と、振動による通知と、を同時に行うことができる。
【００９８】
なお、鳴鐘機構２３０は、レバー９２の回動を規制する機構を備えていてもよい。この機構は、例えば、前記付勢部材を形状記憶合金により形成されたレバー状の部材とし、この付勢部材に電圧を印加してレバー９２の回動を規制可能とすることで構成できる。これにより、鳴鐘機構２３０は、ロータ３７が回転しても回転体の重心が回転体の回転中心から離れず、ロータ３７が回転しても振動が発生しないように構成される。
【００９９】
なお、本発明は、図面を参照して説明した上述の実施形態に限定されるものではなく、その技術的範囲において様々な変形例が考えられる。
例えば、上記実施形態では、回転駆動部３１は超音波モータであるが、これに限定されない。例えば、回転駆動部は、２個のコイルを有するステッピングモータや、ギヤードモータ、ソレノイドおよびラック・アンド・ピニオンを組み合わせた機構等であってもよい。
【０１００】
また、上記実施形態では、ロータ３７を上側から見て時計回り方向に回動させることでハンマー本体６１を回動させ、ロータ３７を上側から見て反時計回り方向に回動させることでハンマー本体７１を回動させている。すなわち、ロータ３７をいずれの方向に回転させた場合でも一対のハンマー本体６１，７１のいずれか一方を回動させている。しかしながらこれに限定されず、ロータ３７をいずれか一方の方向に回転させた場合に一対のハンマー本体の両方を回動させるように構成されていてもよい。
【０１０１】
また、上記実施形態では、一対の爪部４４，４５が回転駆動部３１のロータ３７に取り付けられているが、これに限定されない。爪部は、回転駆動部の回転駆動力により回転する回転体に取り付けられていればよい。また、ロータと爪部との間に増減速輪列が介在していてもよい。すなわち、爪部が取り付けられる回転体は、ロータに対して増減速輪列を介して接続していてもよい。
【０１０２】
また、上記実施形態の時計１において、回転駆動部やハンマー本体６１，７１等に連結されて動作するからくり（オートマタ）が、例えば文字板上に配置されていてもよい。
【０１０３】
また、上記実施形態では、鳴鐘機構３０が時計１に搭載された場合を説明したが、鳴鐘機構３０，１３０，２３０は、置時計または掛け時計等の据え置き型の時計や、スマートフォンやタブレットＰＣ等の時計以外の携帯機器の他、その他の機器に搭載されてもよい。
【０１０４】
その他、本発明の趣旨を逸脱しない範囲で、上記した実施の形態における構成要素を周知の構成要素に置き換えることは適宜可能であり、また、上述した各実施形態および変形例を適宜組み合わせてもよい。
【符号の説明】
【０１０５】
１…時計（携帯機器）  ２…ムーブメント  ３０，１３０，２３０…鳴鐘機構  ３１…回転駆動部  ３７…ロータ（回転体）  ４４…第１爪部（爪部、第１の爪部）  ４５…第２爪部（爪部、第２の爪部）  ５１…第１ゴング（ゴング）  ５２…第２ゴング（ゴング）  ６１…ハンマー本体（ハンマー、第１のハンマー）  ６１ａ，７１ａ…打音部  ６５，７５…係合レバー（被係合部材）  ６６，７６…ピン（接触部材）  ７１…ハンマー本体（ハンマー、第２のハンマー）  １０３…通信部（受信部）  １０５…主制御部（制御部）
【図１】
2019086302.tif 000003
【図２】
2019086302.tif 000004
【図３】
2019086302.tif 000005
【図４】
2019086302.tif 000006
【図５】
2019086302.tif 000007
【図６】
2019086302.tif 000008
【図７】
2019086302.tif 000009
【図８】
2019086302.tif 000010
【図９】
2019086302.tif 000011